(57)【要約】【課題】小型化を図った２段スイッチ構造及び２段押釦スイッチ付回転式電子部品を提供する。【解決手段】開口１０５を有するつまみ１０３と、つまみ１０３と一体に回転する摺動型物９９と、開口１０５から露出するキートップ９５と、キートップ９５の真下に設置される２段スイッチ構造とを具備する。２段スイッチ構造は、一枚のフレキシブル基板中に第１のスイッチ基板からなる第１のスイッチ構造Ａと第２のスイッチ基板からなる第２のスイッチ構造Ｂを設け、これら第１，第２のスイッチ構造Ａ，Ｂを重ね合わせて構成される。【選択図】図６
2004006403.tif 000002
【特許請求の範囲】
【請求項１】
　一枚のフレキシブル基板中に第１のスイッチ基板と第２のスイッチ基板を設け、前記第１のスイッチ基板を取付部材上に取り付け、取付部材の第１のスイッチ基板を取り付けた面とは反対側の面に設けた押圧部に対向する位置に、前記第２のスイッチ基板のスイッチ接点を配置したことを特徴とする２段スイッチ構造。
【請求項２】
　前記取付部材の外周には、前記第１のスイッチ基板を取り付ける押え部が設けられていることを特徴とする請求項１に記載の２段スイッチ構造。
【請求項３】
　前記取付部材の外周の前記押え部に対向する位置には、前記第１のスイッチ基板を固定する係止部が設けられていることを特徴とする請求項２に記載の２段スイッチ構造。
【請求項４】
　開口を有するつまみと、このつまみと一体に回転する摺動型物と、前記つまみに設けた開口から露出するキートップと、キートップの真下に設置される２段スイッチ構造とを具備してなることを特徴とする２段押釦スイッチ付回転式電子部品。
【請求項５】
　前記２段スイッチ構造は、一枚のフレキシブル基板中に第１のスイッチ基板と第２のスイッチ基板を設け、これら第１，第２のスイッチ基板を重ね合わせて構成されていることを特徴とする請求項４に記載の２段押釦スイッチ付回転式電子部品。
【請求項６】
　前記第１のスイッチ基板と第２のスイッチ基板とは連結部で連結されており、この連結部の部分を折り曲げることで第１，第２のスイッチ基板を重ね合わせることを特徴とする請求項５に記載の２段押釦スイッチ付回転式電子部品。
【請求項７】
　前記第１のスイッチ基板を取付部材上に取り付け、取付部材の第１のスイッチ基板を取り付けた面とは反対側の面に設けた押圧部に対向する位置に、第２のスイッチ基板のスイッチ接点を配置したことを特徴とする請求項５又は６に記載の２段押釦スイッチ付回転式電子部品。
【請求項８】
　前記摺動型物には摺動子を取り付け、前記フレキシブル基板上には、前記摺動子が摺動する導電パターンを形成したことを特徴とする請求項５又は６又は７に記載の２段押釦スイッチ付回転式電子部品。
【発明の詳細な説明】
【技術分野】
【０００１】
　本発明は２段スイッチ構造及び２段押釦スイッチ付回転式電子部品に関するものである。
【背景技術】
【０００２】
　従来例えば多段のスイッチ構造、即ちキートップを押圧することで１段目のスイッチがオンし、さらに該キートップを押圧することで２段目のスイッチがオンする構造のスイッチ構造がある。
【０００３】
　図７はこの種のスイッチ構造を示す分解斜視図である。同図に示すようにこのスイッチ構造は、クリック板２１１を取り付けたスイッチ基板２１０の上に、硬質の作動型物２４０とスイッチ基板２２０とを載置して構成される。ここで作動型物２４０はその下面に押圧部２４１を設け、その上面４隅に突起２４３を設けて構成されている。またスイッチ基板２２０は１枚のフレキシブルシートに形成した基板部２２１と基板部２２３とを連結部２２９によって連結したものを連結部２２９の部分を折り曲げることで重ね合わせ、両基板部２２１，２２３にそれぞれ印刷したスイッチパターンを対向させることでスイッチ接点を形成し、さらに上側の基板部２２３の上にクリック板２２５を取り付けて構成されている。なお２２４は貫通孔である。
【０００４】
　そして作動型物２４０の上面にスイッチ基板２２０を載せて突起２４３を貫通孔２２４に挿通してその先端を熱カシメすることで固定し、次にこの作動型物２４０をクリック板２１１上に設置すればこのスイッチ構造が完成する。
【０００５】
　そしてクリック板２２５の上に配設した図示しないキートップを押圧すれば該クリック板２２５が押圧されて反転してスイッチ基板２２０のスイッチ接点がオンし、さらにキートップを押圧すれば作動型物２４０が下降して下側のクリック板２１１が反転してスイッチ基板２１０のスイッチ接点がオンする。
【０００６】
　しかしながら上記スイッチ構造においてはその小型化に限界があり、さらなる小型化を図ることができなかった。即ち基板部２２１，２２３を重ね合わせて構成されるスイッチ基板２２０は、重ね合わせたシート間を確実に密着させておくためにその外周を貫通孔２２４の部分で固定する必要があるので、該固定部分のスペースをクリック板２２５の周囲に張り出して設けなければならない。また突起２４３による固定の代わりに両基板部２２１，２２３のクリック板２２５の周囲の部分を接着層によって固定する方法も考えられるが、該固定を確実にするためには該接着層に所定の幅が必要で、やはりクリック板２２５の周囲から所定の幅だけ外方に張り出す部分を設けなければならず、それ以上の小型化は図れなかった。またこの接着による方法の場合は別途スイッチ基板２２０を作動型物２４０に固定する固定手段を設ける必要も生じてしまう。以上のことからスイッチ基板２２０の小型化が図れなかった。
【０００７】
　一方両基板部２２１，２２３間には連結部２２９があるが、この連結部２２９は折り曲げられることによって撓むので、両者の間には空隙Ｓが生じる。一方両基板部２２１，２２３間は確実に面接触するように重ね合わせる必要があり、またクリック板２２５を取り付ける部分は平面状でなければならないので、該空隙Ｓが両基板部２２１，２２３間に及ばないようにするためには、連結部２２９をある程度長く突出するように形成しておかなければならず、このことからもスイッチ基板２２０の小型化が図れなかった。
【発明の開示】
【発明が解決しようとする課題】
【０００８】
　本発明は上述の点に鑑みてなされたものでありその目的は、小型化を図った２段スイッチ構造及び２段押釦スイッチ付回転式電子部品を提供することにある。
【０００９】
　また本発明の他の目的は、容易に製造できる２段スイッチ構造及び２段押釦スイッチ付回転式電子部品を提供することにある。
【課題を解決するための手段】
【００１０】
　本願の請求項１に記載の発明は、一枚のフレキシブル基板中に第１のスイッチ基板と第２のスイッチ基板を設け、前記第１のスイッチ基板を取付部材上に取り付け、取付部材の第１のスイッチ基板を取り付けた面とは反対側の面に設けた押圧部に対向する位置に、前記第２のスイッチ基板のスイッチ接点を配置したことを特徴とする２段スイッチ構造である。
【００１１】
　本願の請求項２に記載の発明は、前記取付部材の外周には、前記第１のスイッチ基板を取り付ける押え部が設けられていることを特徴とする請求項１に記載の２段スイッチ構造である。
【００１２】
　本願の請求項３に記載の発明は、前記取付部材の外周の前記押え部に対向する位置には、前記第１のスイッチ基板を固定する係止部が設けられていることを特徴とする請求項２に記載の２段スイッチ構造である。
【００１３】
　本願の請求項４に記載の発明は、開口を有するつまみと、このつまみと一体に回転する摺動型物と、前記つまみに設けた開口から露出するキートップと、キートップの真下に設置される２段スイッチ構造とを具備してなることを特徴とする２段押釦スイッチ付回転式電子部品である。
【００１４】
　本願の請求項５に記載の発明は、前記２段スイッチ構造は、一枚のフレキシブル基板中に第１のスイッチ基板と第２のスイッチ基板を設け、これら第１，第２のスイッチ基板を重ね合わせて構成されていることを特徴とする請求項４に記載の２段押釦スイッチ付回転式電子部品である。
【００１５】
　本願の請求項６に記載の発明は、前記第１のスイッチ基板と第２のスイッチ基板とは連結部で連結されており、この連結部の部分を折り曲げることで第１，第２のスイッチ基板を重ね合わせることを特徴とする請求項５に記載の２段押釦スイッチ付回転式電子部品である。
【００１６】
　本願の請求項７に記載の発明は、前記第１のスイッチ基板を取付部材上に取り付け、取付部材の第１のスイッチ基板を取り付けた面とは反対側の面に設けた押圧部に対向する位置に、第２のスイッチ基板のスイッチ接点を配置したことを特徴とする請求項５又は６に記載の２段押釦スイッチ付回転式電子部品である。
【００１７】
　本願の請求項８に記載の発明は、前記摺動型物には摺動子を取り付け、前記フレキシブル基板上には、前記摺動子が摺動する導電パターンを形成したことを特徴とする請求項５又は６又は７に記載の２段押釦スイッチ付回転式電子部品である。
【発明の効果】
【００１８】
　２段のスイッチ構造、または２段のスイッチ構造と別の機構とを多段に構成することが１枚のフレキシブル基板を折り曲げて重ね合わせるだけで容易に製造でき、また部品点数が少ないにもかかわらず多数の機構を集約することができ小型化が図れる。
【発明を実施するための最良の形態】
【００１９】
　以下、本発明の実施形態を図面に基づいて詳細に説明する。
　図１は本発明に用いるスイッチ構造の基本構造を示す要部分解斜視図である。同図に示すようにこのスイッチ構造は、取付部材１０上にスイッチ基板３０を取り付け、さらにその上にクリック板５０を取り付けて構成されている。以下各構成部品について説明する。
【００２０】
　取付部材１０は合成樹脂を略円板状に成形して構成されており、その外周には略リング状の側壁１１が設けられている。
【００２１】
　ここで側壁１１には押え部１５と係止部２１とが対向する位置に設けられており、また一対の切欠き部１３，１３が対向する位置に設けられている。
【００２２】
　ここで押え部１５は細長いスリットによって形成されている(その断面は図６参照)。また係止部２１は切欠きの上端に内側に突出する抜け防止部２３，２３を設けて構成されている。
【００２３】
　図２はスイッチ基板３０の展開斜視図である。同図に示すようにスイッチ基板３０は１枚の可撓性合成樹脂製シート上に、略円形の２つの基板部３３，４３を設け、両基板部３３，４３を連結部４８で連結し、一方の基板部３３からは引き出し部(連結部)４９を引き出して構成されている。
【００２４】
　両基板部３３，４３のそれぞれ中央には、接点パターン３５，４５が印刷形成され、該両接点パターン３５，４５からは図示しない回路パターンが引き出し部４９に引き出されている。なお両基板部３３，４３の両接点パターン３５，４５の周囲を囲む部分には、絶縁層３７が印刷形成されている。
【００２５】
　そしてスイッチ基板３０は図１に示すように、基板部３３を連結部４８の部分で基板部４３の上に折り返して重ね合わせることで形成される。
【００２６】
　次にクリック板５０は図１に示すように、弾性金属板をドーム形状に形成して構成されている。
【００２７】
　そして予めスイッチ基板３０上にクリック板５０を取り付けた上で、このスイッチ基板３０を取付部材１０上に載せる。その際折り曲げた連結部４８を押え部１５内に挿入してこれを上から押さえ、また引き出し部４９を係止部２１の抜け防止部２３，２３の下側に挿入してこれが上方向に抜けるのを防止して固定する。
【００２８】
　ここで連結部４８は押え部１５内において押え付けられるので、連結部４８の湾曲の円弧を小さく潰すことができ、従って該湾曲した連結部４８のために大きな突出部分を設ける必要がなくなる。従ってスイッチ構造の外径の小型化が図れる。
【００２９】
　またこのスイッチ構造の場合、引き出し部４９側もこれを係止部２１によって確実に固定しているので、スイッチ基板３０を構成する２つの基板部３３，４３を確実に密着するように固定しておくことができる。従って別途スイッチ基板３０を取付部材１０に固定する手段は不要である。
【００３０】
　さらにこのスイッチ構造の場合、連結部４８の幅と押え部１５の幅とを略同一に形成し、また引出し部４９の幅と係止部２１の幅も略同一に形成したので、スイッチ基板３０の回転方向の位置決めも同時に行われ、ガタが生じることもない。
【００３１】
　なお上記スイッチ構造で用いた取付部材１０は、実際にはその下に別のスイッチ接点を配置してこれをオンオフする作動型物として利用される。従って取付部材１０の下面中央には押圧部２５が突出して設けられている。
【００３２】
　図３は上記スイッチ構造を用いて構成した２段スイッチ構造に用いるフレキシブル基板６０の展開斜視図である。前記スイッチ構造と同一部分には同一の符号を付する。
【００３３】
　即ちこのフレキシブル基板６０は、前記２枚の基板部３３，４３と連結するように、２枚の基板部７０，７５と、さらに別の基板部８０とをそれぞれ連結部７８，７９で連結して構成されている。
【００３４】
　各基板部７０，７５の中央にはそれぞれ接点パターン７１，７６が印刷形成されており、また基板部７０の反対側の面にはクリック板７３が取り付けられる。基板部８０は、その略中央に前記各基板部３３，４３，７０，７５を載置する載置部８１を設け、その周囲に４つの貫通孔からなる係止部８３(この係止部８３は図６に示すケース９０を取り付けるのに使用する)を設け、さらにその周囲には円弧状の２本の導電パターン８５，８７を印刷形成している。
【００３５】
　そしてこのフレキシブル基板６０を組み立てるには、まず前述の方法で基板部３３，４３を折り畳んでクリック板５０と作動型物（取付部材）１０とを取り付けて図４に示す状態にする。この部分を第１のスイッチ構造Ａとする。
【００３６】
　次に基板部７０の上に基板部７５を重ね合わせて(矢印Ｘ)両接点パターン７１，７６を対向させてスイッチ基板を形成して第２のスイッチ構造Ｂを構成し、さらに前記第１のスイッチ構造Ａを基板部７０の下面側に重ね合わせる(矢印Ｙ)ことで基板部７０の下面に取り付けたクリック板７３の中央に押圧部２５を当接し、このようにして折り畳んだ第１，第２のスイッチ構造Ａ，Ｂをさらに図５に示すように基板部８０の載置部８１上に折り返して載置する。
【００３７】
　ここで図６は図５に示す２段スイッチ構造を用いて構成した本発明の一実施形態にかかる２段スイッチ構造付の回転式電子部品の概略断面図(図５のＡ−Ａ断面に相当する)である。同図において２段スイッチ構造以外の部分は点線で示している。同図において、前記図５に示す２段スイッチ構造の部分は、第１，第２のスイッチ構造Ａ，Ｂを重ね合わせたものを、別の機能を有する基板部８０上に載置して構成されている。
【００３８】
　そしてこの２段スイッチ構造の部分は、ケース９０によって覆われており、ケース９０上面に設けた開口９１を貫通してキートップ９５の押圧部９７がクリック板５０の真上に当接している。またケース９０の外周には摺動型物９９が回動自在に取り付けられており、摺動型物９９の下面には摺動子１０１が取り付けられている。摺動子１０１は基板部８０に設けた導電パターン８５，８７に摺接する位置に設けられている。さらに摺動型物９９の外周は、摺動型物９９を覆うつまみ１０３に結合され、一体に回転するように構成されている。前記キートップ９５はつまみ１０３の中央の開口１０５から露出している。
【００３９】
　そしてキートップ９５を押圧すると、クリック板５０が押圧されて反転し、第１のスイッチ構造Ａのスイッチ接点(図３に示す接点パターン３５，４５間)がオンし、さらにキートップ９５を強く押圧するとスイッチ構造Ａ全体が下降して下側のクリック板７３が押圧されて反転し、第２のスイッチ構造Ｂのスイッチ接点（図３に示す接点パターン７１，７６間）がオンする。キートップ９５の押圧を解除していくと第２のスイッチ構造Ｂ，第１のスイッチ構造Ａの順でスイッチ接点がオフしていく。
【００４０】
　次につまみ１０３を回転すると、これと一体に摺動型物９９が回転し、摺動子１０１が導電パターン８５，８７上を摺動し、両導電パターン８５，８７間のオンオフが行われる。つまりスイッチとして機能する(もちろん導電パターン８５，８７の何れかを抵抗体パターンとすることで可変抵抗器として機能させてもよい)。
【００４１】
　この実施形態はスイッチ構造Ａを取り付ける取付部材１０を作動型物として使用し、その押圧部２５の下に別のスイッチ構造Ｂを配置したので、容易に２段のスイッチ構造を構成することができる。
【００４２】
　また上記実施形態では、２つのスイッチ構造Ａ，Ｂを構成するための各基板部３３，４３，７０，７５の他に、さらに別の機能のために使用する基板部８０を１枚のフレキシブル基板６０に設けたので、これらを折り曲げて重ね合わせることで容易に２段のスイッチ構造とさらに別の機構とを多段に設けることができ、部品点数が少ないにもかかわらず多数の機構を集約することができる。
【００４３】
　なお図３に示すフレキシブル基板６０の載置部８１上は、基板部３３，４３，７０，７５から引き出された図示しない回路パターンの通り道となるため、スイッチパターンなどの他の機能的なパターンは形成されていないが、スペース的に余裕がある場合はこのような機能的なパターンを形成してもよい。
【００４４】
　なお上記実施形態においては、載置部８１の上に２組のスイッチ構造Ａ，Ｂを取り付けるために４枚の基板部３３，４３，７０，７５を設けたが、載置部８１の上に１組のスイッチ構造のみを取り付けるような場合は２枚の基板部を設けるだけでよい。
【００４５】
　以上本発明の実施形態を詳細に説明したが本発明は特許請求の範囲に記載した技術的思想の範囲内で種々の変形が可能であることはいうまでもない。
【図面の簡単な説明】
【００４６】
【図１】本発明に用いるスイッチ構造の基本構造を示す要部分解斜視図である。
【図２】スイッチ基板３０の展開斜視図である。
【図３】２段スイッチ構造に用いるフレキシブル基板６０の展開斜視図である。
【図４】２段スイッチ構造の組み立て手順を示す図である。
【図５】２段スイッチ構造の斜視図である。
【図６】２段スイッチ構造を用いて構成した２段スイッチ構造付の回転式電子部品の概略断面図である。
【図７】従来のスイッチ構造を示す分解斜視図である。
【符号の説明】
【００４７】
１０　取付部材
１５　押え部
２１　係止部
２３　抜け防止部
２５　押圧部
３０　スイッチ基板
３３，４３　基板部
３５，４５　接点パターン
４８　連結部
４９　引き出し部(連結部)
５０　クリック板
６０　フレキシブル基板
７０，７５　基板部
７１，７６　接点パターン
７８，７９　連結部
８０　基板部
８１　載置部
Ａ　第１のスイッチ構造
Ｂ　第２のスイッチ構造
８５，８７　導電パターン
９０　ケース
９５　キートップ
９９　摺動型物
１０１　摺動子
１０３　つまみ
【図１】
2004006403.tif 000003
【図２】
2004006403.tif 000004
【図３】
2004006403.tif 000005
【図４】
2004006403.tif 000006
【図５】
2004006403.tif 000007
【図６】
2004006403.tif 000008
【図７】
2004006403.tif 000009